(57)【要約】【課題】２つのＬＥＤを排他的に駆動できる上に、ゲートアレイなどで構成する場合に、動作特性の低下をできるだけ抑制しつつ、各構成要素の配置の自由度を大きくする。【解決手段】この発明は、第１電流負荷駆動回路１、第２電流負荷駆動回路２、および点灯制御回路５とを備えている。点灯制御回路５は、第１電流負荷駆動回路１によるＬＥＤ４の点灯と第２電流負荷駆動回路２によるＬＥＤ３の点灯を、選択的（排他的）に行う。また、この発明は、回路全体を入力回路６０、７０と出力回路８０に分割し、その分割位置を、第１カレントミラー回路１１および第３カレントミラー回路２１のそれぞれの電圧経路上に設けるようにした。【選択図】図１
2008294122.tif 000002
【特許請求の範囲】
【請求項１】
第１電流負荷を駆動する第１電流負荷駆動回路と、
第２電流負荷を駆動する第２電流負荷駆動回路と、
前記第１電流負荷駆動回路による前記第１電流負荷の駆動と前記第２電流負荷駆動回路による前記第２電流負荷の駆動を選択的に行う制御回路と、を備え、
前記第１電流負荷駆動回路は、
第１カレントミラー回路と、
前記第１カレントミラー回路の出力電流を入力電流とし、この入力電流を増幅した電流によって前記第１電流負荷を駆動する第２カレントミラー回路と、を備え、
前記第２電流負荷駆動回路は、
第３カレントミラー回路と、
前記第３カレントミラー回路の出力電流を入力電流とし、この入力電流を増幅した電流によって前記第２電流負荷を駆動する第４カレントミラー回路と、を備え、
回路全体を入力回路と出力回路に分割し、その分割位置を、前記第１〜第４カレントミラー回路のうちの所定の回路の電圧経路上にしたことを特徴とする電流負荷駆動回路。
【請求項２】
第１電流負荷を駆動する第１電流負荷駆動回路と、
第２電流負荷を駆動する第２電流負荷駆動回路と、
前記第１電流負荷駆動回路による前記第１電流負荷の駆動と前記第２電流負荷駆動回路による前記第２電流負荷の駆動を選択的に行う制御回路と、を備え、
前記第１電流負荷駆動回路は、
第１カレントミラー回路と、
前記第１カレントミラー回路の出力電流を入力電流とし、この入力電流を増幅した電流によって前記第１電流負荷を駆動する第２カレントミラー回路と、を備え、
前記第２電流負荷駆動回路は、
第３カレントミラー回路と、
前記第３カレントミラー回路の出力電流を入力電流とし、この入力電流を増幅した電流によって前記第２電流負荷を駆動する第４カレントミラー回路と、を備え、
回路全体を半導体基板上に作成する場合に、その回路全体を入力回路と出力回路に分割し、その分割位置を、前記第１〜第４カレントミラー回路のうちの所定の回路の電圧経路上にしたことを特徴とする電流負荷駆動回路。
【請求項３】
前記制御回路は、
前記第２カレントミラー回路の動作をオンオフする第１制御回路と、
前記第４カレントミラー回路の動作をオンオフする第２制御回路と、を備え、
前記第１制御回路および前記第２制御回路のオンオフ制御は、前記第２カレントミラー回路および第４カレントミラー回路のうちの一方がオンのときには他方がオフであることを特徴とする請求項１または請求項２に記載の電流負荷駆動回路。
【請求項４】
前記第１制御回路は、
前記第２カレントミラー回路を構成するトランジスタのゲートとドレイン間をオンオフする第１スイッチ回路と、
前記第１スイッチ回路がオフのときに前記ゲートを所定電圧に固定する第１クランプ回路と、を備え、
前記第２制御回路は、
前記第４カレントミラー回路を構成するトランジスタのゲートとドレイン間をオンオフする第２スイッチ回路と、
前記第２スイッチ回路がオフのときに前記ゲートを所定電圧に固定する第２クランプ回路と、
を備えていることを特徴とする請求項３に記載の電流負荷駆動回路。
【請求項５】
前記第１カレントミラー回路および前記第３カレントミラー回路は、
自己の入力電流をオンオフ制御する制御回路を、それぞれ含むことを特徴とする請求項１乃至請求項４のうちの何れかに記載の電流負荷駆動回路。
【請求項６】
前記第１カレントミラー回路および前記第３カレントミラー回路は、
自己の入力側に所定電流を供給する電流源として機能する電流源用抵抗を、それぞれ含むことを特徴とする請求項１乃至請求項５のうちの何れかに記載の電流負荷駆動回路。
【請求項７】
前記第１カレントミラー回路および前記第３カレントミラー回路は、
自己のトランジスタを静電気から保護する静電気保護抵抗をそれぞれ含むことを特徴とする請求項１乃至請求項６のうちの何れかに記載の電流負荷駆動回路。
【請求項８】
前記電流源用抵抗は、
前記電流源としての機能のほかに、前記第１カレントミラー回路および前記第３カレントミラー回路のそれぞれのトランジスタを静電気から保護する機能を有することを特徴とする請求項６に記載の電流負荷駆動回路。
【発明の詳細な説明】
【技術分野】
【０００１】
本発明は、発光ダイオード（以下、ＬＥＤという）で代表される電流負荷を駆動する電流負荷駆動回路に関するものである。
【背景技術】
【０００２】
従来、ＬＥＤ駆動回路として、例えば特許文献１に記載のものが知られている。
このＬＥＤ駆動回路は、昇圧回路を用いることなく、ＬＥＤへの電流を適正に制御するようにしたものである。さらに具体的には、可変電流源と、第１のカレントミラー回路と、第２のカレントミラー回路とを備え、ている。
可変電流源は、外付けのインピーダンス回路によって所定の電流を生成する。第１のカレントミラー回路は、その可変電流源によって生成される電流を増幅する。第２のカレントミラー回路は、第１のカレントミラー回路から供給される電流をさらに増幅し、ＬＥＤに供給する。複数のＬＥＤは、第２のカレントミラー回路から供給される電流によって点灯される。
このような構成からなる従来のＬＥＤ駆動回路によれば、可変電流源によって任意の電流を生成できるので、ＬＥＤに所望の駆動電流を流すことができる上に、複数のＬＥＤの駆動電流を容易に変更できる。
【特許文献１】特開２００５−１１６６１６号公報
【発明の開示】
【発明が解決しようとする課題】
【０００３】
ところで、従来回路では、複数のＬＥＤに同時に電流を流して同時に点灯できる。しかし、例えば２つのＬＥＤを点灯する場合に、一方のＬＥＤを点灯するときに他方のＬＥＤを消灯するというように、２つのＬＥＤを排他的に点灯することができず、新たなＬＥＤ駆動回路の出現が望まれる。
また、上記の従来回路において、その複数の構成要素を半導体基板上に配置して集積回路化する場合には、その各構成要素を接近して配置することが、動作特性を保証するために好ましい。
【０００４】
一方、その複数の構成要素を、例えばゲートアレイ上のトランジスタを使用して形成する場合には、離れた位置のトランジスタを使用できれば、その構成要素の配置の自由度が大きくなるが、配線の長さが増大するので動作特性が低下するおそれがある。
このような背景の下において、ゲートアレイなどで構成する場合に、動作特性の低下をできるだけ抑制しつつ、各構成要素の配置の自由度が大きなＬＥＤ駆動回路の出現が望まれる。
そこで、本発明の目的は、２つのＬＥＤなどを排他的に駆動できる上に、ゲートアレイなどで構成する場合には、動作特性の低下をできるだけ抑制しつつ、各構成要素の配置の自由度が大きな電流負荷駆動回路を提供することにある。
【課題を解決するための手段】
【０００５】
上記の課題を解決し本発明の目的を達成するために、各発明は、以下のような構成からなる。
第１の発明は、第１電流負荷を駆動する第１電流負荷駆動回路と、第２電流負荷を駆動する第２電流負荷駆動回路と、前記第１電流負荷駆動回路による前記第１電流負荷の駆動と前記第２電流負荷駆動回路による前記第２電流負荷の駆動を選択的に行う制御回路と、を備え、前記第１電流負荷駆動回路は、第１カレントミラー回路と、前記第１カレントミラー回路の出力電流を入力電流とし、この入力電流を増幅した電流によって前記第１電流負荷を駆動する第２カレントミラー回路と、を備え、前記第２電流負荷駆動回路は、第３カレントミラー回路と、前記第３カレントミラー回路の出力電流を入力電流とし、この入力電流を増幅した電流によって前記第２電流負荷を駆動する第４カレントミラー回路と、を備え、回路全体を入力回路と出力回路に分割し、その分割位置を、前記第１〜第４カレントミラー回路のうちの所定の回路の電圧経路上にした。
【０００６】
第２の発明は、第１電流負荷を駆動する第１電流負荷駆動回路と、第２電流負荷を駆動する第２電流負荷駆動回路と、前記第１電流負荷駆動回路による前記第１電流負荷の駆動と前記第２電流負荷駆動回路による前記第２電流負荷の駆動を選択的に行う制御回路と、を備え、前記第１電流負荷駆動回路は、第１カレントミラー回路と、前記第１カレントミラー回路の出力電流を入力電流とし、この入力電流を増幅した電流によって前記第１電流負荷を駆動する第２カレントミラー回路と、を備え、前記第２電流負荷駆動回路は、第３カレントミラー回路と、前記第３カレントミラー回路の出力電流を入力電流とし、この入力電流を増幅した電流によって前記第２電流負荷を駆動する第４カレントミラー回路と、を備え、回路全体を半導体基板上に作成する場合に、その回路全体を入力回路と出力回路に分割し、その分割位置を、前記第１〜第４カレントミラー回路のうちの所定の回路の電圧経路上にした。
【０００７】
第３の発明は、第１または第２の発明において、前記制御回路は、前記第２カレントミラー回路の動作をオンオフする第１制御回路と、前記第４カレントミラー回路の動作をオンオフする第２制御回路と、を備え、前記第１制御回路および前記第２制御回路のオンオフ制御は、前記第２カレントミラー回路および第４カレントミラー回路のうちの一方がオンのときには他方がオフである。
【０００８】
第４の発明は、第３の発明において、前記第１制御回路は、前記第２カレントミラー回路を構成するトランジスタのゲートとドレイン間をオンオフする第１スイッチ回路と、前記第１スイッチ回路がオフのときに前記ゲートを所定電圧に固定する第１クランプ回路と、を備え、前記第２制御回路は、前記第４カレントミラー回路を構成するトランジスタのゲートとドレイン間をオンオフする第２スイッチ回路と、前記第２スイッチ回路がオフのときに前記ゲートを所定電圧に固定する第２クランプ回路と、を備えている。
【０００９】
第５の発明は、第１〜第４の発明において、前記第１カレントミラー回路および前記第３カレントミラー回路は、自己の入力電流をオンオフ制御する制御回路を、それぞれ含む。
第６の発明は、第１〜第５の発明において、前記第１カレントミラー回路および前記第３カレントミラー回路は、自己の入力側に所定電流を供給する電流源として機能する電流源用抵抗を、それぞれ含む。
第７の発明は、第１〜第６の発明において、前記第１カレントミラー回路および前記第３カレントミラー回路は、自己のトランジスタを静電気から保護する静電気保護抵抗をそれぞれ含む。
【００１０】
第８の発明は、第６の発明において、前記電流源用抵抗は、前記電流源としての機能のほかに、前記第１カレントミラー回路および前記第３カレントミラー回路のそれぞれのトランジスタを静電気から保護する機能を有する。
このような構成の本発明によれば、２つのＬＥＤなどを排他的に駆動（点灯）することができる。
また、本発明によれば、ゲートアレイなどで構成する場合には、動作特性の低下をできるだけ抑制しつつ、各構成要素の配置の自由度が大きくなる。
【発明を実施するための最良の形態】
【００１１】
以下、本発明の実施形態について、図面を参照して説明する。
（第１実施形態）
本発明の電流負荷駆動回路に係る第１実施形態は、図１に示すように、ＬＥＤ４を駆動する第１電流負荷駆動回路１と、ＬＥＤ３を駆動する第２電流負荷駆動回路２と、第１電流負荷駆動回路１によるＬＥＤ４の点灯と第２電流負荷駆動回路２によるＬＥＤ３の点灯を選択的（排他的）に行う点灯制御回路５と、を備えている。
【００１２】
第１電流負荷駆動回路１は、第１カレントミラー回路１１と、第２カレントミラー回路１２とを備えている。また、第２電流負荷駆動回路２は、第３カレントミラー回路２１と、第４カレントミラー回路２２とを備えている。
さらに、第１実施形態では、図１および図２に示すように、回路全体を入力回路６０、７０と出力回路８０に分割し、その分割位置を、例えば、第１カレントミラー回路１１および第３カレントミラー回路２１のそれぞれの電圧経路上に設けるようにした。
【００１３】
次に、第１実施形態の具体的な説明をするのに先立って、上記のように分割位置をカレントミラー回路の電圧経路上に設けた理由について、図２を参照して説明する。
第１電流負荷駆動回路１は、図２に示すように、電流Ｉ１〜Ｉ３がそれぞれ流れる３つの第１〜第３電流経路と、電流が流れることはなく電圧のみが意味を持つ２つの第１および第２電流経路とを含んでいる。
【００１４】
第１電流経路は、ＭＯＳトランジスタＮ１のドレイン電極と電流源６が接続点ＮＤ１において直列接続されていて、電流Ｉ１が流れる経路である。接続点ＮＤ１は、接続点ＮＤ２を介してＭＯＳトランジスタＮ１、Ｎ２の各ゲート電極に接続されている。
第２電流経路は、ＭＯＳトランジスタＮ２のドレイン電極とＭＯＳトランジスタＰ１のドレイン電極が接続点ＮＤ３において直列接続され、電流Ｉ２が流れる経路である。接続点ＮＤ３は、接続点ＮＤ４を介してＭＯＳトランジスタＰ１、Ｐ２の各ゲート電極に接続されている。
【００１５】
第３電流経路は、ＭＯＳトランジスタＰ２とＬＥＤ４が共通の出力端子８で直列接続され、電流Ｉ３が流れる経路である。
第１電圧経路は、ＭＯＳトランジスタＮ１のゲート電極とＭＯＳトランジスタＮ２のゲート電極とを電気的に接続する経路であり、上記の第１電流経路に電流Ｉ１が流れた結果生成される電圧のみが意味を持つ。
【００１６】
第２電圧経路は、ＭＯＳトランジスタＰ１のゲート電極とＭＯＳトランジスタＰ２のゲート電極とを電気的に接続する経路であり、上記の第２電流経路に電流Ｉ２が流れた結果生成される電圧のみが意味を持つ。
また、第２電流負荷駆動回路２は、図２に示すように、電流Ｉ４〜Ｉ６がそれぞれ流れる３つの第４〜第６電流経路と、電流が流れることはなく電圧のみが意味を持つ２つの第３および第４電流経路とを含んでいる。
【００１７】
第４電流経路は、ＭＯＳトランジスタＰ３のドレイン電極と電流源７が接続点ＮＤ５において直列接続されていて、電流Ｉ４が流れる経路である。接続点ＮＤ５は、接続点ＮＤ６を介してＭＯＳトランジスタＰ３、Ｐ４の各ゲート電極に接続されている。
第５電流経路は、ＭＯＳトランジスタＰ４のドレイン電極とＭＯＳトランジスタＮ３のドレイン電極が接続点ＮＤ７において直列接続され、電流Ｉ２が流れる経路である。接続点ＮＤ７は、接続点ＮＤ８を介してＭＯＳトランジスタＮ３、Ｎ４の各ゲート電極に接続されている。
【００１８】
第６電流経路は、ＭＯＳトランジスタＮ４とＬＥＤ３が共通の出力端子８で直列接続され、電流Ｉ６が流れる経路である。
第３電圧経路は、ＭＯＳトランジスタＰ３のゲート電極とＭＯＳトランジスタＰ４のゲート電極とを電気的に接続する経路であり、上記の第４電流経路に電流Ｉ４が流れた結果生成される電圧のみが意味を持つ。
【００１９】
第４電圧経路は、ＭＯＳトランジスタＮ３のゲート電極とＭＯＳトランジスタＮ４のゲート電極とを電気的に接続する経路であり、上記の第５電流経路に電流Ｉ５が流れた結果生成される電圧のみが意味を持つ。
このような電流経路と電圧経路とを含む回路を、半導体基板上などに作成する場合に、電流経路と電圧経路ではＭＯＳトランジスタ（能動素子）などの他に内部配線をそれぞれ含むことになる。
【００２０】
この場合に、電流経路では、内部配線の長さが長くなると、内部配線に伴う配線抵抗や寄生容量によって動作特性が低下するおそれがある。一方、電圧経路では、その経路の終端は極めて高い抵抗値で終端されているとみなせるので、経路に寄生する抵抗の影響は無視でき、内部配線の長さが長くなっても動作特性が低下するおそれは殆どない。
そこで、本発明では、半導体基板上などに作成する際に、動作特性の低下をできるだけ抑制しつつ、各構成要素の配置の自由度を大きくするために、回路全体を分割または分離するようにし、その分割または分離のための境界を電圧経路上に設けるようにした。
【００２１】
このような基本的な考えに基づき、第１実施形態では、回路全体を２つの入力回路６０、７０と出力回路８０とに分割または分離するようにし、その分割位置または分離位置を、第１および第３カレントミラー回路１１、２１の電圧経路である第１および第３電圧経路上にそれぞれ設けるようにした。
さらに具体的には、第１実施形態は、ゲートアレイなどによって半導体基板上に作成され、その作成に際して入力回路６０、７０と出力回路８０とを分割した形態で半導体基板上にそれぞれ作成し、その入力回路６０、７０と出力回路８０との分割位置を内部配線によって電気的に接続するようにした。
【００２２】
次に、第１実施形態の各部の詳細な構成について、図２を参照して説明する。
第１カレントミラー回路１１は、入力端子１１１と、Ｎ型のＭＯＳトランジスタＮ１、Ｎ２とから構成され、入力端子１１１に接続される電流源（定電流源）６によって所定の入力電流が供給されるようになっている。これにより、第１カレントミラー回路１１は、電流源６の電流Ｉ１をＭＯＳトランジスタＮ１、Ｎ２の増幅率によって決定される乗数倍に増幅して電流Ｉ２を出力する。
【００２３】
ＭＯＳトランジスタＮ１は、ソース電極に第２の電源電圧ＶＳＳが印加され、ゲート電極とドレイン電極が接続され、その共通接続部が入力端子１１１に接続されている。ＭＯＳトランジスタＮ２は、ソース電極に第２の電源電圧ＶＳＳが印加され、ゲート電極がＭＯＳトランジスタＮ１のゲート電極に接続され、ドレイン電極がＭＯＳトランジスタＰ１のドレイン電極に接続されている。
【００２４】
第２カレントミラー回路１２は、共通の出力端子８と、Ｐ型のＭＯＳトランジスタＰ１、Ｐ２とを備え、出力端子８にＬＥＤ４のアノード電極が接続されている。これにより、第２カレントミラー回路１２は、第１カレントミラー回路１１の出力電流Ｉ２をＭＯＳトランジスタＰ１とＰ２の増幅率によって決定される乗数倍に増幅し、電流Ｉ３として出力する。この電流Ｉ３によってＬＥＤ４が点灯される。
【００２５】
ＭＯＳトランジスタＰ１は、ソース電極に第１の電源電圧ＶＤＤが印加されている。ＭＯＳトランジスタＰ１のゲート電極は、ＭＯＳトランジスタＰ２のゲート電極に接続されている。また、ＭＯＳトランジスタＰ１のゲート電極とドレイン電極との間には、後述のスイッチ回路５１が設けられている。ＭＯＳトランジスタＰ２は、ソース電極に第１の電源電圧ＶＤＤが印加され、ドレイン電極が共通の出力端子８に接続されている。
【００２６】
第３カレントミラー回路２１は、入力端子２１１と、Ｐ型のＭＯＳトランジスタＰ３、Ｐ４とから構成され、入力端子２１１に接続される電流源７によって所定の入力電流が供給されるようになっている。これにより、第３カレントミラー回路２１は、電流源７の電流Ｉ４をＭＯＳトランジスタＰ３、Ｐ４の増幅率によって決定される乗数倍に増幅して電流Ｉ５を出力する。
【００２７】
ＭＯＳトランジスタＰ３は、ソース電極に第１の電源電圧ＶＤＤが印加され、ゲート電極とドレイン電極が接続され、その共通接続部が入力端子２１１に接続されている。ＭＯＳトランジスタＰ４は、ソース電極に第１の電源電圧ＶＤＤが印加され、ゲート電極がＭＯＳトランジスタＰ３のゲート電極に接続され、ドレイン電極がＭＯＳトランジスタＮ３のドレイン電極に接続されている。
【００２８】
第４カレントミラー回路２２は、共通の出力端子８と、Ｍ型のＭＯＳトランジスタＮ３、Ｎ４とを備え、出力端子８にＬＥＤ３のカソードが接続されている。これにより、第４カレントミラー回路２２は、第３カレントミラー回路２１の出力電流Ｉ５をＭＯＳトランジスタＮ３とＮ４の増幅率によって決定される乗数倍に増幅し、電流Ｉ６として出力する。この電流Ｉ６によってＬＥＤ３が点灯される。
【００２９】
ＭＯＳトランジスタＮ３は、ソース電極に第２の電源電圧ＶＳＳが印加されている。ＭＯＳトランジスタＮ３のゲート電極は、ＭＯＳトランジスタＮ４のゲート電極に接続されている。また、ＭＯＳトランジスタＮ３のゲート電極とドレイン電極との間には、後述のスイッチ回路５３が設けられている。ＭＯＳトランジスタＮ４は、ソース電極に第２の電源電圧ＶＳＳが印加され、ドレイン電極が共通の出力端子８に接続されている。
【００３０】
点灯制御回路５は、第２カレントミラー回路１２の動作をオンオフ制御してＬＥＤ４の点灯制御を行うとともに、第４カレントミラー回路２２の動作をオンオフ制御してＬＥＤ３の点灯制御を行う。そして、そのオンオフ制御は、ＬＥＤ３およびＬＥＤ４のうち、一方のＬＥＤが点灯するときには、他方のＬＥＤが消灯する選択的または排他的な制御を行う。
【００３１】
具体的には、点灯制御回路５は、第１スイッチ回路５１、第１クランプ回路５２、第２スイッチ回路５３、第２クランプ回路５４、および制御端子５５を備えている。
第１スイッチ回路５１は、伝送ゲート５１１とインバータ５１２とから構成され、制御端子５５に入力される制御信号によって、ＭＯＳトランジスタＰ１のゲート電極とドレイン電極との間の接続をオンオフする。第１クランプ回路５２は、Ｐ型のＭＯＳトランジスタＰ５から構成される。ＭＯＳトランジスタＰ５は、制御端子５５に入力される制御信号をインバータ５１２で反転した信号によって、ＭＯＳトランジスタＰ１、Ｐ２の各ゲート電極を所定の電圧である第１の電源電圧ＶＤＤに固定する。
【００３２】
第２スイッチ回路５３は、伝送ゲート５３１とインバータ５１２とから構成され、制御端子５５に入力される制御信号によって、ＭＯＳトランジスタＮ３のゲート電極とドレイン電極との間の接続をオンオフする。第２クランプ回路５４は、Ｎ型のＭＯＳトランジスタＮ５から構成される。ＭＯＳトランジスタＮ５は、制御端子５５に入力される制御信号をインバータ５１２で反転した信号によって、ＭＯＳトランジスタＮ３、Ｎ４の各ゲート電極を所定の電圧である第２の電源電圧ＶＳＳに固定する。
【００３３】
次に、このような構成の第１実施形態の動作例について、図２を参照して説明する。
まず、第１電流負荷駆動回路１の動作例について説明する。いま、電流源６の電流値がＩ１とすると、第１カレントミラー回路１１においては、キルヒホッフの法則より、接続点ＮＤ１では電流源６により流入する電流量と同じ電流が流出する。しかし、接続点ＮＤ１が接続点ＮＤ２を介して接続されているのはＭＯＳトランジスタＮ１とＮ２のゲート電極でのみであり、その終端抵抗値が極めて大きいため、接続点ＮＤ１から接続点ＮＤ２への電流は発生しない。その結果、第１カレントミラー回路１１を構成するＭＯＳトランジスタＮ１のドレイン電極−ソース電極間には、電流源６で決定された電流Ｉ１が流れる。このため、第１の電源電圧ＶＤＤの印加部から電流源６とＭＯＳトランジスタＮ１を経由して第２の電源電圧ＶＳＳの印加部に至る経路は、第１電流経路と見なすことが出来る。
【００３４】
一方、接続点ＮＤ１から接続点ＮＤ２を介してＭＯＳトランジスタＮ１とＮ２のゲート電極に至る経路では、電流が流れることは無い。電流Ｉ１がＭＯＳトランジスタＮ１のドレイン電極−ソース電極間に流れると、ＭＯＳトランジスタＮ１のオン抵抗により電圧降下が発生するため、接続点ＮＤ１に電圧が発生する。この電圧降下により発生した電圧が接続点ＮＤ２を介してＭＯＳトランジスタＮ１のゲート電極に印加される。このため、ＭＯＳトランジスタＮ１では、ゲート電極の電圧と、これによるオン抵抗とにより、ＭＯＳトランジスタＮ１の任意の動作点で安定する。このため、接続点ＮＤ１から接続点ＮＤ２を経由する経路は、その経路の電圧のみが動作に影響を与えるため、第１電圧経路と見なすことが出来、ＭＯＳトランジスタＮ１の電圧降下分の電圧が、ＭＯＳトランジスタＮ２のゲート電極へ印加される。
ＭＯＳトランジスタＮ１とＮ２において、ＭＯＳトランジスタＮ１の閾値電圧をＶＴＮ１、ＭＯＳトランジスタＮ１のゲート電極−ソース電極間の電圧をＶＧＳＮ１、ＭＯＳトランジスタＮ１の増幅率をβＮ１とすると、電流Ｉ１は次式となる。
【００３５】
Ｉ１= （βＮ１／２）×（ＶＧＳＮ１−ＶＴＮ１）２
【００３６】
また、ＭＯＳトランジスタＮ２の閾値電圧をＶＴＮ２、ＭＯＳトランジスタＮ２のゲート電極−ソース電極間の電圧をＶＧＳＮ２、ＭＯＳトランジスタＮ２の増幅率をβＮ２とすると、電流Ｉ２は次式となる。
【００３７】
Ｉ２=(βＮ２／２) ×（ＶＧＳＮ２−ＶＴＮ２）２
【００３８】
ＭＯＳトランジスタＮ１とＮ２が同一特性のＭＯＳトランジスタであると、ＶＴＮ１＝ＶＴＮ２であり、ＭＯＳトランジスタＮ１のドレイン電極とゲート電極と、ＭＯＳトランジスタＮ２のゲート電極の電位は同一であるので、ＶＧＳＮ１= ＶＧＳＮ２となり、電流増幅率Ｉ２／Ｉ１は次式となる。
【００３９】
Ｉ２／Ｉ１＝βＮ２／βＮ１
【００４０】
これにより、第１カレントミラー回路１１の電流Ｉ２は、電流Ｉ１とＭＯＳトランジスタＮ１とＮ２のβ比により決定されることとなる。
第２カレントミラー回路１２においては、キルヒホッフの法則により、接続点ＮＤ３ではＭＯＳトランジスタＮ２により流出する電流量Ｉ２と同じ電流が流入する。しかし、接続点ＮＤ３が接続点ＮＤ４を介して接続されているのはＭＯＳトランジスタＰ１とＰ２のゲート電極のみであり、その終端抵抗値が極めて大きいため、接続点ＮＤ３から接続点ＮＤ４への電流は発生しない。その結果、ＭＯＳトランジスタＰ１のソース電極−ドレイン電極間には、ＭＯＳトランジスタＮ２で決定された電流Ｉ２が流れることとなる。このことから、第１の電源電圧がＶＤＤの印加部からＭＯＳトランジスタＰ１とＭＯＳトランジスタＮ２を経由して第２の電源電圧ＶＳＳの印加部に至る経路は、第２電流経路と見なすことが出来る。
【００４１】
一方、接続点ＮＤ３から接続点ＮＤ４を介してＭＯＳトランジスタＰ１とＰ２のゲート電極に至る経路では、電流が流れることは無い。電流Ｉ２がＭＯＳトランジスタＰ１のソース電極−ドレイン電極間に流れると、ＭＯＳトランジスタＰ１のオン抵抗により電圧降下が発生するため、接続点ＮＤ３に電圧が発生する。この電圧降下により発生した電圧が接続点ＮＤ４を介してＭＯＳトランジスタＰ１のゲート電極に印加される。このため、ＭＯＳトランジスタＰ１では、ゲート電極の電圧と、これによるオン抵抗とにより、ＭＯＳトランジスタＰ１の任意の動作点で安定する。このため、接続点ＮＤ３から接続点ＮＤ４を経由する経路は、その経路の電圧のみが動作に影響を与えるため、第２電圧経路と見なすことが出来、ＭＯＳトランジスタＰ１による電圧降下分の電圧がＭＯＳトランジスタＰ２のゲート電極へ印加される。
ＭＯＳトランジスタＰ１とＰ２において、ＭＯＳトランジスタＰ１の閾値電圧をＶＴＰ１、ＭＯＳトランジスタＰ１のゲート電極−ソース電極間の電圧をＶＧＳＰ１、ＭＯＳトランジスタＰ１の増幅率をβＰ１とすると、電流Ｉ２は次式となる。
【００４２】
Ｉ２= （βＰ１／２）×（ＶＧＳＰ１−ＶＴＰ１）２
【００４３】
また、ＭＯＳトランジスタＰ２の閾値電圧をＶＴＰ２、ＭＯＳトランジスタＰ２のゲート電極−ソース電極間の電圧をＶＧＳＰ２、ＭＯＳトランジスタＰ２の増幅率をβＰ２とすると、電流Ｉ３は次式となる。
【００４４】
Ｉ３= （βＰ２／２）×（ＶＧＳＰ２−ＶＴＰ２）２
【００４５】
ＭＯＳトランジスタＰ１とＰ２が同一特性のＭＯＳトランジスタであると、ＶＴＰ１＝ＶＴＰ２であり、ＭＯＳトランジスタＰ１のドレイン電極とゲート電極と、ＭＯＳトランジスタＰ２のゲート電極の電位は同一であるので、ＶＧＳＰ１= ＶＧＳＰ２となり、電流増幅率Ｉ３／Ｉ２は次式となる。
【００４６】
Ｉ３／Ｉ２＝βＰ２／βＰ１
【００４７】
これにより、第２カレントミラー回路１２の出力電流Ｉ３は、電流Ｉ２とＭＯＳトランジスタＰ１とＰ２のβ比により決定されることとなる。電流Ｉ３によりＬＥＤ４を点灯する。
いま、例えば電流源６の電流Ｉ１が１ｍＡで、ＭＯＳトランジスタＮ１とＭＯＳトランジスタＮ２の増幅率が同じで、ＭＯＳトランジスタＰ２の増幅率がＭＯＳトランジスタＰ１の増幅率の１０倍とする。このような条件の下では、ＭＯＳトランジスタＰ２に流れる電流Ｉ３は１０ｍＡとなり、この電流によってＬＥＤ４が点灯される。
【００４８】
このように、第１電流負荷駆動回路１では、電流源６の電流値Ｉ１を第１および第２カレントミラー回路１１、１２によって電流増幅して電流Ｉ３を得て、これによりＬＥＤ４に所望の電流を流して点灯させることができる。
次に、第２電流負荷駆動回路２の動作例について説明するが、第１電流負荷駆動回路１の動作例と基本的に同様であるので、その概要について説明する。
【００４９】
第３カレントミラー回路２１において、第１の電源電圧ＶＤＤの印加部からＭＯＳトランジスタＰ３と電流源７を経由して第２の電源電圧ＶＳＳの印加部に至る経路は、第４電流経路と見なすことが出来る。また、接続点ＮＤ５から接続点ＮＤ６を経由する経路は、その経路の電圧のみが動作に影響を与えるため、第３電圧経路と見なすことが出来る。
また、ＭＯＳトランジスタＰ３、Ｐ４の増幅率をβＰ３、βＰ４とすると、第３カレントミラー回路２１の電流増幅率Ｉ５／Ｉ４は次式となる。
【００５０】
Ｉ５／Ｉ４＝βＰ４／βＰ３
【００５１】
これにより、第３カレントミラー回路２１の電流Ｉ５は、電流Ｉ４とＭＯＳトランジスタＰ３とＰ４のβ比により決定される。
第３および第４カレントミラー回路２１、２２において、第１の電源電圧ＶＤＤの印加部からＭＯＳトランジスタＰ４とＭＯＳトランジスタＮ３を経由して第２の電源電圧ＶＳＳの印加部に至る経路は、第５電流経路と見なすことが出来る。また、接続点ＮＤ７から接続点ＮＤ８を経由する経路は、その経路の電圧のみが動作に影響を与えるため、第４電圧経路と見なすことが出来る。
また、ＭＯＳトランジスタＮ３、Ｎ４の増幅率をβＮ３、βＮ４とすると、第４カレントミラー回路２２の電流増幅率Ｉ６／Ｉ５は次式となる。
【００５２】
Ｉ６／Ｉ５＝βＮ４／βＮ３
【００５３】
これにより、第４カレントミラー回路２２の電流Ｉ６は、電流Ｉ５とＭＯＳトランジスタＮ３とＮ４のβ比により決定される。電流Ｉ６によりＬＥＤ３を点灯する。
このように、第２電流負荷駆動回路２では、電流源７の電流値Ｉ４を第３および第４カレントミラー回路２１、２２によって電流増幅して電流Ｉ６を得て、これによりＬＥＤ３に所望の電流を流して点灯させることができる。
【００５４】
次に、点灯制御回路５の動作例について、図２を参照して説明する。
まず、ＬＥＤ４を点灯し、ＬＥＤ３を消灯する場合について説明する。この場合には、制御端子５５に入力される制御信号に基づき、伝送ゲート５１１がオンになるとともに、ＭＯＳトランジスタＰ５がオフとなる。これにより、第２カレントミラー回路１２は動作状態になり、ＬＥＤ４を点灯する。
また、このときには、その制御信号に基づき、伝送ゲート５３１がオフになるとともに、ＭＯＳトランジスタＮ５がオンとなってＭＯＳトランジスタＮ３、Ｎ４の各ゲート電極を第２の電源電圧ＶＳＳに固定する。これにより、第４カレントミラー回路２２は非動作状態になり、ＬＥＤ３は消灯する。
【００５５】
次に、ＬＥＤ４を消灯し、ＬＥＤ３を点灯する場合について説明する。この場合には、制御端子５５に入力される制御信号に基づき、伝送ゲート５３１がオンになるとともに、ＭＯＳトランジスタＮ５がオフとなる。これにより、第４カレントミラー回路２２は動作状態になり、ＬＥＤ３を点灯する。
また、このときには、その制御信号に基づき、伝送ゲート５１１がオフになるとともに、ＭＯＳトランジスタＰ５がオンとなってＭＯＳトランジスタＰ１、Ｐ２の各ゲート電極を第１の電源電圧ＶＤＤに固定する。これにより、第２カレントミラー回路１２は非動作状態になり、ＬＥＤ４は消灯する。
【００５６】
以上のように、点灯制御回路５は、ＬＥＤ３とＬＥＤ４を選択的に点灯、またはＬＥＤ３とＬＥＤ４を排他的に点灯するように制御する。
以上説明したように、第１実施形態では、回路全体を入力回路６０、７０と出力回路８０に分割し、その分割位置を第１および第３カレントミラー回路１１、２１の電圧経路上である第１電圧経路および第３電圧経路上に設けるようにした。
【００５７】
このように電圧経路上で分割することで、入力回路６０、７０と出力回路８０を接続するための配線に寄生する抵抗成分の影響は受けなくなる。このため、ゲート電極アレイなどで構成する場合に、その入力回路６０、７０と出力回路８０を自由な位置に配置してその両者を電気的に配線しても、配線に寄生する抵抗成分の影響は受けることなく、動作特性の低下を抑制し、所望の動作特性の維持が可能となる。従って、第１実施形態によれば、半導体基板上に各構成要素を配置して形成する場合に、動作特性の低下を抑制しつつ、各構成要素の配置の自由度を大きくできる。
また、第１実施形態によれば、点灯制御回路５を設け、これにより第２カレントミラー回路１２および第４カレントミラー回路２２を選択的（排他的）に動作させるようにした。このため、２つのＬＥＤを選択的または排他的に点灯できる。
【００５８】
なお、第１実施形態では、回路全体を入力回路６０、７０と出力回路８０に分割し、その分割位置を第１および第３カレントミラー回路１１、２１の各電圧経路上に設けるようにした。しかし、その分割位置を第２および第４カレントミラー回路１２、２２の各電圧経路に設けるようにしても良い。特に、ＭＯＳトランジスタＰ２、Ｎ４は、半導体装置外部に直接接続され、また、ＭＯＳトランジスタＮ１、Ｎ２、Ｐ１およびＭＯＳトランジスタＰ３、Ｐ４、Ｎ３に比べて大きな電流が流れるため、一般に専用の領域に配置されることが多い。このことから、ＭＯＳトランジスタＰ１とＰ２の配置される領域は離れるとともに、ＭＯＳトランジスタＮ３とＮ４の配置される領域も離れることになるが、上記の理由から動作特性への影響を排除できる。
また、その分割位置を第１および第３カレントミラー回路１１、２１の各電圧経路上の他に、第２および第４カレントミラー回路１２、２２の各電圧経路上に設けるようにしても良い。この場合には、第１実施形態の回路全体は４つに分割される。これらの点については、以下の各実施形態の場合でも同様である。
【００５９】
（第２実施形態）
本発明の電流負荷駆動回路に係る第２実施形態は、図２に示す第１実施形態の構成を基本にし、図２の第１および第３カレントミラー回路１１、２１を、図３に示す第１および第３カレントミラー回路１１ａ、２１ａに置き換え、回路全体に流れる電流をオンオフ制御できる上に、ＬＥＤ３、４に流れる電流をオンオフ制御できるようにした。
【００６０】
すなわち、第１カレントミラー回路１１ａは、図２のカレントミラー回路１１にスイッチ回路１１２、クランプ回路１１３および制御端子１１４を追加した。また、第３カレントミラー回路２１ａは、図２のカレントミラー回路２１にスイッチ回路２１２、クランプ回路２１３および制御端子２１４を追加した。
また、第２実施形態では、第１実施形態と同様に、回路全体を入力回路６０、７０と出力回路８０とに分割または分離し、その分割位置または分離位置を第１および第３カレントミラー回路１１ａ、２１ａの各電圧経路上に設けるようにした。
【００６１】
なお、第２実施形態は、上記の追加した回路以外は第１実施形態とその構成が同じであるので、同一構成要素には同一符号を付してその説明を省略する。
スイッチ回路１１２は、伝送ゲート１１５とインバータ１１６から構成され、制御端子１１４に入力される制御信号によって、ＭＯＳトランジスタＮ１のゲート電極とドレイン電極との間の接続をオンオフする。クランプ回路１１３は、ＭＯＳトランジスタＮ６から構成される。ＭＯＳトランジスタＮ６は、制御端子１１４に入力される制御信号をインバータ１１６で反転した信号によって、ＭＯＳトランジスタＮ１、Ｎ２の各ゲート電極を第２の電源電圧ＶＳＳに固定する。
伝送ゲート１１５には、導通状態においても伝送ゲート１１５を構成するＭＯＳトランジスタにオン抵抗が存在するが、接続点ＮＤ１から接続点ＮＤ２を介してＭＯＳトランジスタＮ１、Ｎ２のゲート電極に至る経路は電圧経路であるため、動作特性に影響が生じない。
【００６２】
スイッチ回路２１２は、伝送ゲート２１５とインバータ２１６とから構成され、制御端子２１４に入力される制御信号によって、ＭＯＳトランジスタＰ３のゲート電極とドレイン電極との間の接続をオンオフする。クランプ回路２１３は、ＭＯＳトランジスタＰ６から構成される。ＭＯＳトランジスタＰ６は、制御端子２１４に入力される制御信号をインバータ２１６で反転した信号によって、ＭＯＳトランジスタＰ３、Ｐ４の各ゲート電極を第１の電源電圧ＶＤＤに固定する。
伝送ゲート２１５には、導通状態においても伝送ゲート２１５を構成するＭＯＳトランジスタにオン抵抗が存在するが、接続点ＮＤ５から接続点ＮＤ６を介してＭＯＳトランジスタＰ３、Ｐ４のゲート電極に至る経路は電圧経路であるため、動作特性に影響が生じない。
【００６３】
次に、このような構成の第２実施形態の動作例について、図３を参照して説明する。
スイッチ回路１１２によってＭＯＳトランジスタＮ１のゲート電極とドレイン電極との間の接続をオンオフでき、オフのときにはクランプ回路１１３がＭＯＳトランジスタＮ１、Ｎ２のゲート電極を第２の電源電圧ＶＳＳに固定する。このとき、第２カレントミラー回路１２のＭＯＳトランジスタＰ１、Ｐ２が動作状態にあっても、接続点ＮＤ３の電位はＭＯＳトランジスタＰ１により第１の電源電圧ＶＤＤへ移行してゆき、ＭＯＳトランジスタＰ１のカットオフ電圧となる。このためＭＯＳトランジスタＰ１はカットオフ状態で安定するため、接続点ＮＤ３の電位も安定する。
【００６４】
この接続点ＮＤ３の電位は接続点ＮＤ４を介してＭＯＳトランジスタＰ２のゲート電極へ印加されるため、ＭＯＳトランジスタＰ２もカットオフ状態となる。このため、第１カレントミラー回路１１ａは、ＬＥＤ４の点灯が不要なときには、自己およびＬＥＤ４に流れる電流を停止できる。
一方、スイッチ回路２１２によってＭＯＳトランジスタＰ３のゲート電極とドレイン電極との間の接続をオンオフでき、オフのときにはクランプ回路２１３がＭＯＳトランジスタＰ３、Ｐ４のゲート電極を第１の電源電圧ＶＤＤに固定する。このとき、第４カレントミラー回路２２のＭＯＳトランジスタＮ３、Ｎ４が動作状態にあっても、接続点ＮＤ７の電位はＭＯＳトランジスタＮ３により第２の電源電圧ＶＳＳへ移行してゆき、ＭＯＳトランジスタＮ３のカットオフ電圧となる。このためＭＯＳトランジスタＮ３はカットオフ状態で安定するため、接続点ＮＤ７の電位も安定する。
【００６５】
この接続点ＮＤ７の電位は接続点ＮＤ８を介してＭＯＳトランジスタＮ４のゲート電極へ印加されるため、ＭＯＳトランジスタＮ４もカットオフ状態となる。このため、第３カレントミラー回路２１ａは、ＬＥＤ３の点灯が不要なときには、自己およびＬＥＤ３に流れる電流を停止できる。
以上のように、第２実施形態によれば、低消費電力を確保しつつ、ＬＥＤ３、４の点灯制御を行うことができる。また、第２実施形態によれば、第１実施形態の作用効果が実現できる。
【００６６】
（第３実施形態）
本発明の電流負荷駆動回路に係る第３実施形態は、図２に示す第１実施形態の構成を基本にし、図２の第１および第３カレントミラー回路１１、２１を、図４に示す第１および第３カレントミラー回路１１ｂ、２１ｂに置き換え、図２に示す電流源６、７を省略するようにした。
【００６７】
具体的には、第１カレントミラー回路１１ｂは、入力端子１１１と接続点ＮＤ１の間に、電流源として機能する電流源用抵抗Ｒ１を含むようにし、図２に示す電流源６を省略するようにした。また、第３カレントミラー回路２１ｂは、入力端子２１１と接続点ＮＤ５の間に、電流源として機能する電流源用抵抗Ｒ２を含むようにし、図２に示す電流源７を省略するようにした。
【００６８】
また、第３実施形態では、第１実施形態と同様に、回路全体を入力回路６０、７０と出力回路８０とに分割または分離し、その分割位置または分離位置を第１および第３カレントミラー回路１１ｂ、２１ｂの各電圧経路上に設けるようにした。
なお、第３実施形態は、上記の追加した回路以外は第１実施形態とその構成が同じであるので、同一構成要素には同一符号を付してその説明を省略する。
このような第３実施形態によれば、第１カレントミラー回路１１ｂにおいて、第１の電源電圧をＶＤＤ、ＭＯＳトランジスタＮ１の閾値電圧をＶＴＮ１、ＭＯＳトランジスタＮ１のゲート電極−ソース電極間の電圧をＶＧＳＮ１、ＭＯＳトランジスタＮ１の増幅率をβＮ１としたとき、電流源用抵抗Ｒ１の値は次式により求まる。
【００６９】
Ｒ１＝［ＶＤＤ−ＶＴＮ１−√｛（２・Ｉ１）／βＮ１｝］／Ｉ１
【００７０】
そこで、上式を満たす電流源用抵抗Ｒ１の値と、ＭＯＳトランジスタＮ１の増幅率を選択することで、外部の電流源を省略できる。さらに、電流源用抵抗Ｒ１の値を静電気保護に十分な値とすることで、電流源用抵抗Ｒ１を静電気保護用抵抗として兼用することも出来る。
一方、第３カレントミラー回路２１ｂにおいて、電流源用抵抗Ｒ２は、上記の電流源用抵抗Ｒ１と同様の働きをするとともに、その抵抗値は上記と同様に求めることができる。さらに、電流源用抵抗Ｒ２の値を静電気保護に十分な値とすることで、電流源用抵抗Ｒ２を静電気保護用抵抗として兼用することも出来る。
また、第３実施形態によれば、第１実施形態と同様の作用効果を実現できる。
【００７１】
（第４実施形態）
本発明の電流負荷駆動回路に係る第４実施形態は、図２に示す第１実施形態の構成を基本にし、図２の第１および第３カレントミラー回路１１、２１の構成を、図５に示す第１および第３カレントミラー回路１１ｃ、２１ｃに変更するようにした。
具体的には、第１カレントミラー回路１１ｃの外部電流源側に設けたＭＯＳトランジスタＮ１のドレイン電極と、ＭＯＳトランジスタＮ１とＮ２のゲート電極の間に、ＭＯＳトランジスタＮ１、Ｎ２のゲート電極を静電気から保護する静電気保護抵抗Ｒ３を設けるようにした。また、第３カレントミラー回路２１ｃの外部電流源側に設けたＭＯＳトランジスタＰ３のドレイン電極と、ＭＯＳトランジスタＰ３とＰ４のゲート電極の間に、ＭＯＳトランジスタＰ３、Ｐ４のゲート電極を静電気から保護する静電気保護抵抗Ｒ４を設けるようにした。
【００７２】
このように静電気保護抵抗Ｒ３、Ｒ４を付加することで、静電気保護抵抗Ｒ３、Ｒ４が製造上のバラツキにより値が変動しても、動作特性に何ら影響を与えない。
また、第４実施形態では、第１実施形態と同様に、回路全体を入力回路６０、７０と出力回路８０とに分割または分離し、その分割位置または分離位置を第１および第３カレントミラー回路１１ｃ、２１ｃの各電圧経路上に設けるようにした。
【００７３】
なお、第４実施形態は、上記の追加した回路以外は第１実施形態とその構成が同じであるので、同一構成要素には同一符号を付してその説明を省略する。
このような第４実施形態によれば、第１および第３カレントミラー回路１１ｃ、２１ｃが静電気保護抵抗Ｒ３、Ｒ４を含んでいるので、ＭＯＳトランジスタＮ１、Ｎ２、Ｐ３、Ｐ４を静電気から保護できる。
また、第４実施形態によれば、第１実施形態と同様の作用効果を実現できる。
【００７４】
（第５実施形態）
本発明の電流負荷駆動回路に係る第５実施形態は、図３に示す第２実施形態の構成を基本にし、図３の第１および第３カレントミラー回路１１ａ、２１ａを、図６に示す第１および第３カレントミラー回路１１ｄ、２１ｄに置き換え、図３に示す電流源６、７を省略するようにした。
【００７５】
具体的には、第１カレントミラー回路１１ｄは、入力端子１１１と接続点ＮＤ１の間に、電流源として機能する電流源用抵抗Ｒ１を含むようにし、図３に示す電流源６を省略するようにした。また、第３カレントミラー回路２１ｄは、入力端子２１１と接続点ＮＤ５の間に、電流源として機能する電流源用抵抗Ｒ２を含むようにし、図３に示す電流源７を省略するようにした。
【００７６】
また、第５実施形態では、第２実施形態と同様に、回路全体を入力回路６０、７０と出力回路８０とに分割または分離し、その分割位置または分離位置を第１および第３カレントミラー回路１１ｄ、２１ｄの各電圧経路上に設けるようにした。
なお、第５実施形態は、上記の追加した回路以外は第２実施形態とその構成が同じであるので、同一構成要素には同一符号を付してその説明を省略する。
【００７７】
このような第５実施形態によれば、第１カレントミラー回路１１ｄに含まれる電流源抵抗Ｒ１の値は、図４の第１カレントミラー回路１１ｂに含まれる電流源用抵抗Ｒ１の場合と同様にして求めることができる。このため、電流源用抵抗Ｒ１の値と、ＭＯＳトランジスタＮ１の増幅率を選択することで、外部の電流源を省略できる。さらに、電流源用抵抗Ｒ１の値を静電気保護に十分な値とすることで、電流源用抵抗Ｒ１を静電気保護用抵抗として兼用することも出来る。
【００７８】
また、第３カレントミラー回路２１ｄに含まれる電流源用抵抗Ｒ２は、第１カレントミラー回路１１ｄの電流源用抵抗Ｒ１と同様の働きをするとともに、その抵抗値は同様に求めることができる。さらに、電流源用抵抗Ｒ２の値を静電気保護に十分な値とすることで、電流源用抵抗Ｒ２を静電気保護用抵抗として兼用することも出来る。
また、第５実施形態によれば、第２実施形態と同様の作用効果を実現できる。
【００７９】
（第６実施形態）
本発明の電流負荷駆動回路に係る第６実施形態は、図３に示す第２実施形態の構成を基本にし、図３の第１および第３カレントミラー回路１１ａ、２１ａの構成を、図７に示す第１および第３カレントミラー回路１１ｅ、２１ｅに変更するようにした。
具体的には、第１カレントミラー回路１１ｅの外部電流源側に設けたＭＯＳトランジスタＮ１のドレイン電極と、ＭＯＳトランジスタＮ１とＮ２のゲート電極の間に、ＭＯＳトランジスタＮ１、Ｎ２のゲート電極を静電気から保護する静電気保護抵抗Ｒ３を設けるようにした。また、第３カレントミラー回路２１ｅの外部電流源側に設けたＭＯＳトランジスタＰ３のドレイン電極と、ＭＯＳトランジスタＰ３とＰ４のゲート電極の間に、ＭＯＳトランジスタＰ３、Ｐ４のゲート電極を静電気から保護する静電気保護抵抗Ｒ４を設けるようにした。
【００８０】
このように静電気保護抵抗Ｒ３、Ｒ４を付加することで、静電気保護抵抗Ｒ３、Ｒ４が製造上のバラツキにより値が変動しても、動作特性に何ら影響を与えない。
また、第６実施形態では、第２実施形態と同様に、回路全体を入力回路６０、７０と出力回路８０とに分割または分離し、その分割位置または分離位置を第１および第３カレントミラー回路１１ｅ、２１ｅの各電圧経路上に設けるようにした。
【００８１】
なお、第６実施形態は、上記の追加した回路以外は第２実施形態とその構成が同じであるので、同一構成要素には同一符号を付してその説明を省略する。
このような第６実施形態によれば、第１および第３カレントミラー回路１１ｅ、２１ｅが静電気保護抵抗Ｒ３、Ｒ４を含んでいるので、ＭＯＳトランジスタＮ１、Ｎ２、Ｐ３、Ｐ４を静電気から保護できる。
また、第６実施形態によれば、第２実施形態と同様の作用効果を実現できる。
【図面の簡単な説明】
【００８２】
【図１】本発明の第１実施形態の構成を示すブロック図である。
【図２】その第１実施形態の構成を示す回路図である。
【図３】本発明の第２実施形態の構成を示す回路図である。
【図４】本発明の第３実施形態の構成を示す回路図である。
【図５】本発明の第４実施形態の構成を示す回路図である。
【図６】本発明の第５実施形態の構成を示す回路図である。
【図７】本発明の第６実施形態の構成を示す回路図である。
【符号の説明】
【００８３】
Ｒ１、Ｒ２・・・電流源用抵抗、Ｒ３、Ｒ４・・・静電気保護抵抗、１・・・第１電流負荷駆動回路、２・・・第２電流負荷駆動回路、３、４・・・ＬＥＤ、５・・・点灯制御回路、１１、１１ａ〜１１ｅ・・・第１カレントミラー回路、１２・・・第２カレントミラー回路、２１、２１ａ〜２１ｅ・・・第３カレントミラー回路、２２・・・第４カレントミラー回路、５１、５３・・・スイッチ回路、５２、５４・・・クランプ回路、６０、７０・・・入力回路、８０・・・出力回路
【図１】
2008294122.tif 000003
【図２】
2008294122.tif 000004
【図３】
2008294122.tif 000005
【図４】
2008294122.tif 000006
【図５】
2008294122.tif 000007
【図６】
2008294122.tif 000008
【図７】
2008294122.tif 000009